(57)【要約】【課題】  発電造水プラントの系において蒸気およびこの蒸気が凝縮された復水の合計量が不足することを抑止することができ、しかも、発電造水プラントの系を循環する蒸気およびこの蒸気が凝縮された復水の循環量が減少することを抑止することができる発電造水プラントおよびその制御方法を提供すること。【解決手段】  中圧蒸気ライン４５上におけるエジェクタ４８への分岐点４５ａの上流側および下流側に中圧蒸気流量測定器４９およびダンプコンデンサ用蒸気流量測定器５２がそれぞれ設けられている。中圧蒸気流量測定器４９による蒸気流量とダンプコンデンサ用蒸気流量測定器５２による蒸気流量との差に基づいて、補給水供給流量調整弁２２を制御してダンプコンデンサ１４に送られる補給水流量を調整するとともに、ダンプコンデンサ復水流量調整弁２６を制御してダンプコンデンサ１４から送られる復水流量を調整する。【選択図】  図１
2006097484.tif 000002
【特許請求の範囲】
【請求項１】
導入された蒸気を利用して発電を行う蒸気タービンと、
蒸気タービンからの蒸気を冷却水を用いて凝縮して復水を生成するとともに冷却水から真水を造水するダンプコンデンサと、
ダンプコンデンサに補給水を送る補給水ラインと、
補給水ライン上に設置され、ダンプコンデンサに送る補給水の流量を調整する補給水供給流量調整弁と、
ダンプコンデンサの下流側に設置され、ダンプコンデンサから送られた復水の脱気を行う脱気器と、
ダンプコンデンサと脱気器との間に設けられ、ダンプコンデンサから送られる復水の流量を調整するダンプコンデンサ復水流量調整弁と、
脱気器から送られた復水を加熱して蒸気を発生させてこの蒸気を蒸気タービンに送るボイラと、
ボイラと蒸気タービンとの間から分岐し、ボイラから送られた蒸気をダンプコンデンサに送る中圧蒸気ラインと、
中圧蒸気ラインからさらに分岐して設けられたエジェクタと、
中圧蒸気ライン上におけるエジェクタへの分岐点の上流側に設けられ、蒸気の流量を測定する中圧蒸気流量測定器と、
中圧蒸気ライン上におけるエジェクタへの分岐点の下流側に設けられ、蒸気の流量を測定するダンプコンデンサ用蒸気流量測定器と、
中圧蒸気流量測定器により測定された蒸気の流量とダンプコンデンサ用蒸気流量測定器により測定された蒸気の流量との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、
を備えたことを特徴とする発電造水プラント。
【請求項２】
導入された蒸気を利用して発電を行う蒸気タービンと、
蒸気タービンからの蒸気を冷却水を用いて凝縮して復水を生成するとともに冷却水から真水を造水するダンプコンデンサと、
ダンプコンデンサに補給水を送る補給水ラインと、
補給水ライン上に設置され、ダンプコンデンサに送る補給水の流量を調整する補給水供給流量調整弁と、
ダンプコンデンサの下流側に設置され、ダンプコンデンサから送られた復水の脱気を行う脱気器と、
ダンプコンデンサと脱気器との間に設けられ、ダンプコンデンサから送られる復水の流量を調整するダンプコンデンサ復水流量調整弁と、
脱気器に設けられ、脱気器内の圧力を測定する脱気器内圧力測定器と、
脱気器の上流側に設けられ、この脱気器に送られる復水の流量を調整する脱気器用復水流量調整弁と、
脱気器から送られた復水を加熱して蒸気を発生させてこの蒸気を蒸気タービンに送るボイラと、
ボイラと蒸気タービンとの間に設けられ、ボイラから蒸気タービンに送られる蒸気の流量を測定する主蒸気流量測定器と、
脱気器内圧力測定器により測定された脱気器内の圧力と、主蒸気流量測定器により測定された蒸気の流量とに基づいて、脱気器用復水流量調整弁の設計開度値を算出し、この設計開度値と脱気器用復水流量調整弁の実際の開度値との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、
を備えたことを特徴とする発電造水プラント。
【請求項３】
導入された蒸気を利用して発電を行う蒸気タービンと、
蒸気タービンからの蒸気を冷却水を用いて凝縮して復水を生成するとともに冷却水から真水を造水するダンプコンデンサと、
ダンプコンデンサに補給水を送る補給水ラインと、
補給水ライン上に設置され、ダンプコンデンサに送る補給水の流量を調整する補給水供給流量調整弁と、
ダンプコンデンサの下流側に設置され、ダンプコンデンサから送られた復水の脱気を行う脱気器と、
ダンプコンデンサと脱気器との間に設けられ、ダンプコンデンサから送られる復水の流量を調整するダンプコンデンサ復水流量調整弁と、
脱気器に設けられ、この脱気器における復水の水位を測定する脱気器水位測定器と、
脱気器から送られた復水を加熱して蒸気を発生させてこの蒸気を蒸気タービンに送るボイラと、
脱気器水位測定器により測定された脱気器における復水の水位に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、
を備えたことを特徴とする発電造水プラント。
【請求項４】
導入された蒸気を利用して発電を行う蒸気タービンと、
蒸気タービンからの蒸気を冷却水を用いて凝縮して復水を生成するとともに冷却水から真水を造水するダンプコンデンサと、
ダンプコンデンサに補給水を送る補給水ラインと、
補給水ライン上に設置され、ダンプコンデンサに送る補給水の流量を調整する補給水供給流量調整弁と、
ダンプコンデンサの下流側に設置され、ダンプコンデンサから送られた復水の脱気を行う脱気器と、
ダンプコンデンサと脱気器との間に設けられ、ダンプコンデンサから送られる復水の流量を調整するダンプコンデンサ復水流量調整弁と、
ダンプコンデンサと脱気器との間に設けられ、脱気器に送られる復水のヘッダ圧力を測定する復水ヘッダ圧力測定器と、
脱気器から送られた復水を加熱して蒸気を発生させてこの蒸気を蒸気タービンに送るボイラと、
復水ヘッダ圧力測定器により測定された脱気器に送られる復水のヘッダ圧力に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、
を備えたことを特徴とする発電造水プラント。
【請求項５】
ダンプコンデンサに設けられ、このダンプコンデンサにおける復水の水位を測定するダンプコンデンサ水位測定器を更に備え、
制御装置は、ダンプコンデンサ復水流量調整弁を、復水ヘッダ圧力測定器により測定された脱気器に送られる復水のヘッダ圧力に加えて、ダンプコンデンサ水位測定器により測定されたダンプコンデンサにおける復水の水位に基づいて制御してダンプコンデンサから送られる復水の流量を調整することを特徴とする請求項４記載の発電造水プラント。
【請求項６】
ダンプコンデンサと脱気器との間に設けられ、脱気器に送られる復水の温度を測定する復水温度測定器を更に備え、
制御装置は、ダンプコンデンサ復水流量調整弁を、復水ヘッダ圧力測定器により測定された脱気器に送られる復水のヘッダ圧力およびダンプコンデンサ水位測定器により測定されたダンプコンデンサにおける復水の水位に加えて、復水温度測定器により測定された脱気器に送られる復水の温度に基づいて制御してダンプコンデンサから送られる復水の流量を調整することを特徴とする請求項５記載の発電造水プラント。
【請求項７】
蒸気タービンにより導入された蒸気を利用して発電を行う工程と、
蒸気タービンからの蒸気をダンプコンデンサにより冷却水を用いて凝縮して復水を生成するとともに冷却水から真水を造水する工程と、
補給水ライン上に設置された補給水供給流量調整弁によりダンプコンデンサに送る補給水の流量を調整しながら、補給水ラインによりダンプコンデンサに補給水を送る工程と、
ダンプコンデンサと脱気器との間に設けられたダンプコンデンサ復水流量調整弁によりダンプコンデンサから送られる復水の流量を調整しながら復水を脱気器に送り、この脱気器によりダンプコンデンサから送られた復水の脱気を行う工程と、
脱気器から送られた復水をボイラにより加熱して蒸気を発生させてこの蒸気を蒸気タービンに送るとともに、ボイラと蒸気タービンとの間から分岐した中圧蒸気ラインによりボイラから送られた蒸気をダンプコンデンサに送る工程と、
中圧蒸気ラインにより送られる蒸気をさらに分岐してエジェクタに送るとともに、中圧蒸気ライン上におけるエジェクタへの分岐点の上流側の蒸気の流量を中圧蒸気流量測定器により測定し、中圧蒸気ライン上におけるエジェクタへの分岐点の下流側の蒸気の流量をダンプコンデンサ用蒸気流量測定器により測定する工程と、
を備え、
中圧蒸気流量測定器により測定された蒸気の流量とダンプコンデンサ用蒸気流量測定器により測定された蒸気の流量との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法。
【請求項８】
蒸気タービンにより導入された蒸気を利用して発電を行う工程と、
蒸気タービンからの蒸気をダンプコンデンサにより冷却水を用いて凝縮して復水を生成するとともに冷却水から真水を造水する工程と、
補給水ライン上に設置された補給水供給流量調整弁によりダンプコンデンサに送る補給水の流量を調整しながら、補給水ラインによりダンプコンデンサに補給水を送る工程と、
ダンプコンデンサと脱気器との間に設けられたダンプコンデンサ復水流量調整弁によりダンプコンデンサから送られる復水の流量を調整するとともに、脱気器とダンプコンデンサ復水流量調整弁との間に設けられた脱気器用復水流量調整弁により復水の流量を調整しながら、復水を脱気器に送り、脱気器内圧力測定器により脱気器内の圧力を測定しながらこの脱気器によりダンプコンデンサから送られた復水の脱気を行う工程と、
脱気器から送られた復水をボイラにより加熱して蒸気を発生させてこの蒸気を蒸気タービンに送るとともに、ボイラと蒸気タービンとの間に設けられた主蒸気流量測定器によりボイラから蒸気タービンに送られる蒸気の流量を測定する工程と、
を備え、
脱気器内圧力測定器により測定された脱気器内の圧力と、主蒸気流量測定器により測定された蒸気の流量とに基づいて、脱気器用復水流量調整弁の設計開度値を算出し、この設計開度値と脱気器用復水流量調整弁の実際の開度値との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法。
【請求項９】
蒸気タービンにより導入された蒸気を利用して発電を行う工程と、
蒸気タービンからの蒸気をダンプコンデンサにより冷却水を用いて凝縮して復水を生成するとともに冷却水から真水を造水する工程と、
補給水ライン上に設置された補給水供給流量調整弁によりダンプコンデンサに送る補給水の流量を調整しながら、補給水ラインによりダンプコンデンサに補給水を送る工程と、
ダンプコンデンサと脱気器との間に設けられたダンプコンデンサ復水流量調整弁によりダンプコンデンサから送られる復水の流量を調整しながら復水を脱気器に送り、脱気器水位測定器により脱気器における復水の水位を測定しながら、ダンプコンデンサから送られた復水の脱気を脱気器により行う工程と、
脱気器から送られた復水をボイラにより加熱して蒸気を発生させてこの蒸気を蒸気タービンに送る工程と、
を備え、
脱気器水位測定器により測定された脱気器における復水の水位に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法。
【請求項１０】
蒸気タービンにより導入された蒸気を利用して発電を行う工程と、
蒸気タービンからの蒸気をダンプコンデンサにより冷却水を用いて凝縮して復水を生成するとともに冷却水から真水を造水する工程と、
補給水ライン上に設置された補給水供給流量調整弁によりダンプコンデンサに送る補給水の流量を調整しながら、補給水ラインによりダンプコンデンサに補給水を送る工程と、
ダンプコンデンサと脱気器との間に設けられたダンプコンデンサ復水流量調整弁によりダンプコンデンサから送られる復水の流量を調整するとともに、ダンプコンデンサ復水流量調整弁と脱気器との間に設けられた復水ヘッダ圧力測定器により脱気器に送られる復水のヘッダ圧力を測定しながら、復水を脱気器に送り、この脱気器によりダンプコンデンサから送られた復水の脱気を行う工程と、
脱気器から送られた復水をボイラにより加熱して蒸気を発生させてこの蒸気を蒸気タービンに送る工程と、
を備え、
復水ヘッダ圧力測定器により測定された脱気器に送られる復水のヘッダ圧力に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法。
【請求項１１】
ダンプコンデンサにおける復水の水位をダンプコンデンサ水位測定器により測定する工程を更に備え、
ダンプコンデンサ復水流量調整弁は、復水ヘッダ圧力測定器により測定された脱気器に送られる復水のヘッダ圧力に加えて、ダンプコンデンサ水位測定器により測定されたダンプコンデンサにおける復水の水位に基づいて制御され、ダンプコンデンサから送られる復水の流量を調整することを特徴とする請求項１０記載の発電造水プラントの制御方法。
【請求項１２】
脱気器に送られる復水の温度を復水温度測定器により測定する工程を更に備え、
ダンプコンデンサ復水流量調整弁は、復水ヘッダ圧力測定器により測定された脱気器に送られる復水のヘッダ圧力およびダンプコンデンサ水位測定器により測定されたダンプコンデンサにおける復水の水位に加えて、復水温度測定器により測定された脱気器に送られる復水の温度に基づいて制御され、ダンプコンデンサから送られる復水の流量を調整することを特徴とする請求項１１記載の発電造水プラントの制御方法。
【発明の詳細な説明】
【技術分野】
【０００１】
本発明は、蒸気タービンにより発電を行うとともに、海水や河川水等の冷却水を加熱して造水を行う発電造水プラントおよびその制御方法に関する。
【背景技術】
【０００２】
一般に、ガスタービンおよび蒸気タービンにより発電を行うとともに、海水や河川水等の冷却水を加熱して造水を行う発電造水プラントとしては、例えば図９に示す構成を有するものが用いられている。
具体的には、図９に示すように、発電造水プラント８０は、外部から導入された空気を圧縮器１１ａで圧縮し、圧縮された空気と燃料ガスとを燃焼器１１ｂにより燃焼し、燃焼器１１ｂからの燃焼ガスをタービン１１ｃに送って一次発電を行うガスタービン１１と、蒸気を利用して二次発電を行う蒸気タービン１２と、蒸気タービン１２から送られた蒸気を凝縮して復水を生成する復水器１４と、復水器１４の下流側に設置され、この復水器１４から送られた復水の脱気を行う脱気器１６と、ガスタービン１１から送られた排気ガスと熱交換を行うことにより各脱気器１６から送られた復水を加熱して蒸気を発生させこの蒸気を蒸気タービン１２に送る排熱回収ボイラ１８とを備えている（例えば、特許文献１乃至３参照）。
発電造水プラント８０において、蒸気またはこの蒸気が凝縮された復水が蒸気タービン１２、復水器１４、脱気器１６および排熱回収ボイラ１８を循環して流れるようになっている。
【０００３】
図９に示すように、排熱回収ボイラ１８は低圧ドラム１８ａと、中圧ドラム１８ｄと、高圧ドラム１８ｇとを有しており、復水器１４により生成され脱気器１６により脱気された復水が低圧ドラム１８ａ、中圧ドラム１８ｄおよび高圧ドラム１８ｇにそれぞれ送られるようになっている。
【０００４】
低圧ドラム１８ａの上流側には、低圧ドラム１８ａに送られる復水の流量を調整する低圧給水調整弁１８ｂが設けられており、また、この低圧ドラム１８ａには当該低圧ドラム１８ａの水位を測定する低圧ドラム水位測定器１８ｃが設けられている。同様に、中圧ドラム１８ｄの上流側には、中圧ドラム１８ｄに送られる復水の流量を調整する中圧給水調整弁１８ｅが設けられており、また、この中圧ドラム１８ｄには当該中圧ドラム１８ｄの水位を測定する中圧ドラム水位測定器１８ｆが設けられている。さらに、高圧ドラム１８ｇの上流側には、高圧ドラム１８ｇに送られる復水の流量を調整する高圧給水調整弁１８ｈが設けられており、また、この高圧ドラム１８ｇには当該高圧ドラム１８ｇの水位を測定する高圧ドラム水位測定器１８ｉが設けられている。
【０００５】
復水器１４には、この復水器１４に補給水を送る補給水ライン２０が接続されており、この補給水ライン２０上には復水器１４に送られる補給水の流量を調整する補給水供給流量調整弁２２が設けられている。また、復水器１４にはこの復水器１４の水位を測定する復水器水位測定器２３が設けられている。
【０００６】
次に、発電造水プラント８０の作用について図９を用いて以下に説明する。
まず、ガスタービン１１において外部から送られた空気が圧縮機１１ａで圧縮され、圧縮された空気は燃焼器１１ｂで燃料ガスにより燃焼されて燃焼ガスとなる。この燃焼ガスがタービン１１ｃに送られてタービン１１ｃが一次発電を行うようになっている。
【０００７】
他方、蒸気が蒸気タービン１２に送られ、この蒸気を利用して蒸気タービン１２が二次発電を行うようになっている。そして、蒸気タービン１２から復水器１４に蒸気が送られ、この復水器１４は、外部から導入された海水や河川水等の冷却水と熱交換を行ってこの冷却水を加熱することにより真水を生成する造水を行い、また、この熱交換により蒸気タービン１２から送られた蒸気を凝縮して復水を生成する。
【０００８】
蒸気タービン１２により生成された復水は脱気器１６により脱気され、排熱回収ボイラ１８の低圧ドラム１８ａ、中圧ドラム１８ｄおよび高圧ドラム１８ｇに分岐して送られる。そして、排熱回収ボイラ１８は、ガスタービン１１から排出された排気ガスと熱交換を行うことによって、脱気器１６から送られた復水を加熱して蒸気を生成する。排熱回収ボイラ１８により生成された蒸気は再び蒸気タービン１２に送られる。
【０００９】
このような発電造水プラント８０においては、低圧ドラム水位測定器１８ｃにより測定された水位に基づいて、低圧給水調整弁１８ｂが制御され低圧ドラム１８ａに送られる復水の流量が制御される。同様に、中圧ドラム水位測定器１８ｆにより測定された水位に基づいて、中圧給水調整弁１８ｅが制御され中圧ドラム１８ｄに送られる復水の流量が制御され、また、高圧ドラム水位測定器１８ｉにより測定された水位に基づいて、高圧給水調整弁１８ｈが制御され高圧ドラム１８ｇに送られる復水の流量が制御される。
さらに、復水器水位測定器２３により測定された水位に基づいて、補給水供給流量調整弁２２が制御され復水器１４に送られる補給水の流量が制御される。
【００１０】
【特許文献１】特開昭５４−８９１４５号公報
【特許文献２】特開昭６１−４９１１１号公報
【特許文献３】特開平１０−４７０１５号公報
【発明の開示】
【発明が解決しようとする課題】
【００１１】
しかしながら、このような発電造水プラント８０において、排熱回収ボイラ１８の下流側に、導入された蒸気をノズルから噴射させるエジェクタ（図示せず）が設けられている場合には、このエジェクタにおいて蒸気が消費または発電造水プラント８０の系外へ放出されるので、当該発電造水プラント８０の系内における蒸気およびこの蒸気が凝縮された復水の合計量が不足する。
【００１２】
また、図９に示すように発電造水プラント８０において１台の復水器１４に対して脱気器１６および排熱回収ボイラ１８の設置台数が各々１台である場合には、前述の従来の制御方法で復水器１４に送られる補給水の流量および脱気器１６に送られる復水の流量を調整することにより発電造水プラント８０の系内を循環する蒸気およびこの蒸気が凝縮された復水の循環量を調整することが可能である。しかしながら、１台の復水器１４に対して脱気器１６および排熱回収ボイラ１８の設置台数が複数となっている場合には、前述の従来の制御方法では対応することができず、発電造水プラント８０の系内を循環する蒸気およびこの蒸気が凝縮された復水の循環量が減少することがある。
【００１３】
本発明は、このような点を考慮してなされたものであり、排熱回収ボイラの下流側に設けられたエジェクタにおいて蒸気が消費または発電造水プラントの系外へ放出される場合であっても、発電造水プラントの系内において蒸気およびこの蒸気が凝縮された復水の合計量が不足することを抑止することができ、しかも、発電造水プラントの系内を循環する蒸気およびこの蒸気が凝縮された復水の循環量が減少することを抑止することができる発電造水プラントおよびその制御方法を提供することを目的とする。
【課題を解決するための手段】
【００１４】
本発明は、導入された蒸気を利用して発電を行う蒸気タービンと、蒸気タービンからの蒸気を冷却水を用いて凝縮して復水を生成するとともに冷却水から真水を造水するダンプコンデンサと、ダンプコンデンサに補給水を送る補給水ラインと、補給水ライン上に設置され、ダンプコンデンサに送る補給水の流量を調整する補給水供給流量調整弁と、ダンプコンデンサの下流側に設置され、ダンプコンデンサから送られた復水の脱気を行う脱気器と、ダンプコンデンサと脱気器との間に設けられ、ダンプコンデンサから送られる復水の流量を調整するダンプコンデンサ復水流量調整弁と、脱気器から送られた復水を加熱して蒸気を発生させてこの蒸気を蒸気タービンに送るボイラと、ボイラと蒸気タービンとの間から分岐し、ボイラから送られた蒸気をダンプコンデンサに送る中圧蒸気ラインと、中圧蒸気ラインからさらに分岐して設けられたエジェクタと、中圧蒸気ライン上におけるエジェクタへの分岐点の上流側に設けられ、蒸気の流量を測定する中圧蒸気流量測定器と、中圧蒸気ライン上におけるエジェクタへの分岐点の下流側に設けられ、蒸気の流量を測定するダンプコンデンサ用蒸気流量測定器と、中圧蒸気流量測定器により測定された蒸気の流量とダンプコンデンサ用蒸気流量測定器により測定された蒸気の流量との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、を備えたことを特徴とする発電造水プラントである。
【００１５】
本発明は、導入された蒸気を利用して発電を行う蒸気タービンと、蒸気タービンからの蒸気を冷却水を用いて凝縮して復水を生成するとともに冷却水から真水を造水するダンプコンデンサと、ダンプコンデンサに補給水を送る補給水ラインと、補給水ライン上に設置され、ダンプコンデンサに送る補給水の流量を調整する補給水供給流量調整弁と、ダンプコンデンサの下流側に設置され、ダンプコンデンサから送られた復水の脱気を行う脱気器と、ダンプコンデンサと脱気器との間に設けられ、ダンプコンデンサから送られる復水の流量を調整するダンプコンデンサ復水流量調整弁と、脱気器に設けられ、脱気器内の圧力を測定する脱気器内圧力測定器と、脱気器の上流側に設けられ、この脱気器に送られる復水の流量を調整する脱気器用復水流量調整弁と、脱気器から送られた復水を加熱して蒸気を発生させてこの蒸気を蒸気タービンに送るボイラと、ボイラと蒸気タービンとの間に設けられ、ボイラから蒸気タービンに送られる蒸気の流量を測定する主蒸気流量測定器と、脱気器内圧力測定器により測定された脱気器内の圧力と、主蒸気流量測定器により測定された蒸気の流量とに基づいて、脱気器用復水流量調整弁の設計開度値を算出し、この設計開度値と脱気器用復水流量調整弁の実際の開度値との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、を備えたことを特徴とする発電造水プラントである。
【００１６】
本発明は、導入された蒸気を利用して発電を行う蒸気タービンと、蒸気タービンからの蒸気を冷却水を用いて凝縮して復水を生成するとともに冷却水から真水を造水するダンプコンデンサと、ダンプコンデンサに補給水を送る補給水ラインと、補給水ライン上に設置され、ダンプコンデンサに送る補給水の流量を調整する補給水供給流量調整弁と、ダンプコンデンサの下流側に設置され、ダンプコンデンサから送られた復水の脱気を行う脱気器と、ダンプコンデンサと脱気器との間に設けられ、ダンプコンデンサから送られる復水の流量を調整するダンプコンデンサ復水流量調整弁と、脱気器に設けられ、この脱気器における復水の水位を測定する脱気器水位測定器と、脱気器から送られた復水を加熱して蒸気を発生させてこの蒸気を蒸気タービンに送るボイラと、脱気器水位測定器により測定された脱気器における復水の水位に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、を備えたことを特徴とする発電造水プラントである。
【００１７】
本発明は、導入された蒸気を利用して発電を行う蒸気タービンと、蒸気タービンからの蒸気を冷却水を用いて凝縮して復水を生成するとともに冷却水から真水を造水するダンプコンデンサと、ダンプコンデンサに補給水を送る補給水ラインと、補給水ライン上に設置され、ダンプコンデンサに送る補給水の流量を調整する補給水供給流量調整弁と、ダンプコンデンサの下流側に設置され、ダンプコンデンサから送られた復水の脱気を行う脱気器と、ダンプコンデンサと脱気器との間に設けられ、ダンプコンデンサから送られる復水の流量を調整するダンプコンデンサ復水流量調整弁と、ダンプコンデンサと脱気器との間に設けられ、脱気器に送られる復水のヘッダ圧力を測定する復水ヘッダ圧力測定器と、脱気器から送られた復水を加熱して蒸気を発生させてこの蒸気を蒸気タービンに送るボイラと、復水ヘッダ圧力測定器により測定された脱気器に送られる復水のヘッダ圧力に基づいて、補給水供給流量調整弁を制御してダンプコンデンサに送る補給水の流量を調整するとともに、ダンプコンデンサ復水流量調整弁を制御してダンプコンデンサから送られる復水の流量を調整する制御装置と、を備えたことを特徴とする発電造水プラントである。
このような発電造水プラントにおいては、ダンプコンデンサに設けられ、このダンプコンデンサにおける復水の水位を測定するダンプコンデンサ水位測定器を更に備え、制御装置は、ダンプコンデンサ復水流量調整弁を、復水ヘッダ圧力測定器により測定された脱気器に送られる復水のヘッダ圧力に加えて、ダンプコンデンサ水位測定器により測定されたダンプコンデンサにおける復水の水位に基づいて制御してダンプコンデンサから送られる復水の流量を調整することが好ましい。
また、このような発電造水プラントにおいては、ダンプコンデンサと脱気器との間に設けられ、脱気器に送られる復水の温度を測定する復水温度測定器を更に備え、制御装置は、ダンプコンデンサ復水流量調整弁を、復水ヘッダ圧力測定器により測定された脱気器に送られる復水のヘッダ圧力およびダンプコンデンサ水位測定器により測定されたダンプコンデンサにおける復水の水位に加えて、復水温度測定器により測定された脱気器に送られる復水の温度に基づいて制御してダンプコンデンサから送られる復水の流量を調整することが好ましい。
【００１８】
本発明は、蒸気タービンにより導入された蒸気を利用して発電を行う工程と、蒸気タービンからの蒸気をダンプコンデンサにより冷却水を用いて凝縮して復水を生成するとともに冷却水から真水を造水する工程と、補給水ライン上に設置された補給水供給流量調整弁によりダンプコンデンサに送る補給水の流量を調整しながら、補給水ラインによりダンプコンデンサに補給水を送る工程と、ダンプコンデンサと脱気器との間に設けられたダンプコンデンサ復水流量調整弁によりダンプコンデンサから送られる復水の流量を調整しながら復水を脱気器に送り、この脱気器によりダンプコンデンサから送られた復水の脱気を行う工程と、脱気器から送られた復水をボイラにより加熱して蒸気を発生させてこの蒸気を蒸気タービンに送るとともに、ボイラと蒸気タービンとの間から分岐した中圧蒸気ラインによりボイラから送られた蒸気をダンプコンデンサに送る工程と、中圧蒸気ラインにより送られる蒸気をさらに分岐してエジェクタに送るとともに、中圧蒸気ライン上におけるエジェクタへの分岐点の上流側の蒸気の流量を中圧蒸気流量測定器により測定し、中圧蒸気ライン上におけるエジェクタへの分岐点の下流側の蒸気の流量をダンプコンデンサ用蒸気流量測定器により測定する工程と、を備え、中圧蒸気流量測定器により測定された蒸気の流量とダンプコンデンサ用蒸気流量測定器により測定された蒸気の流量との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法である。
【００１９】
本発明は、蒸気タービンにより導入された蒸気を利用して発電を行う工程と、蒸気タービンからの蒸気をダンプコンデンサにより冷却水を用いて凝縮して復水を生成するとともに冷却水から真水を造水する工程と、補給水ライン上に設置された補給水供給流量調整弁によりダンプコンデンサに送る補給水の流量を調整しながら、補給水ラインによりダンプコンデンサに補給水を送る工程と、ダンプコンデンサと脱気器との間に設けられたダンプコンデンサ復水流量調整弁によりダンプコンデンサから送られる復水の流量を調整するとともに、脱気器とダンプコンデンサ復水流量調整弁との間に設けられた脱気器用復水流量調整弁により復水の流量を調整しながら、復水を脱気器に送り、脱気器内圧力測定器により脱気器内の圧力を測定しながらこの脱気器によりダンプコンデンサから送られた復水の脱気を行う工程と、脱気器から送られた復水をボイラにより加熱して蒸気を発生させてこの蒸気を蒸気タービンに送るとともに、ボイラと蒸気タービンとの間に設けられた主蒸気流量測定器によりボイラから蒸気タービンに送られる蒸気の流量を測定する工程と、を備え、脱気器内圧力測定器により測定された脱気器内の圧力と、主蒸気流量測定器により測定された蒸気の流量とに基づいて、脱気器用復水流量調整弁の設計開度値を算出し、この設計開度値と脱気器用復水流量調整弁の実際の開度値との差に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法である。
【００２０】
本発明は、蒸気タービンにより導入された蒸気を利用して発電を行う工程と、蒸気タービンからの蒸気をダンプコンデンサにより冷却水を用いて凝縮して復水を生成するとともに冷却水から真水を造水する工程と、補給水ライン上に設置された補給水供給流量調整弁によりダンプコンデンサに送る補給水の流量を調整しながら、補給水ラインによりダンプコンデンサに補給水を送る工程と、ダンプコンデンサと脱気器との間に設けられたダンプコンデンサ復水流量調整弁によりダンプコンデンサから送られる復水の流量を調整しながら復水を脱気器に送り、脱気器水位測定器により脱気器における復水の水位を測定しながら、ダンプコンデンサから送られた復水の脱気を脱気器により行う工程と、脱気器から送られた復水をボイラにより加熱して蒸気を発生させてこの蒸気を蒸気タービンに送る工程と、を備え、脱気器水位測定器により測定された脱気器における復水の水位に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法である。
【００２１】
本発明は、蒸気タービンにより導入された蒸気を利用して発電を行う工程と、蒸気タービンからの蒸気をダンプコンデンサにより冷却水を用いて凝縮して復水を生成するとともに冷却水から真水を造水する工程と、補給水ライン上に設置された補給水供給流量調整弁によりダンプコンデンサに送る補給水の流量を調整しながら、補給水ラインによりダンプコンデンサに補給水を送る工程と、ダンプコンデンサと脱気器との間に設けられたダンプコンデンサ復水流量調整弁によりダンプコンデンサから送られる復水の流量を調整するとともに、ダンプコンデンサ復水流量調整弁と脱気器との間に設けられた復水ヘッダ圧力測定器により脱気器に送られる復水のヘッダ圧力を測定しながら、復水を脱気器に送り、この脱気器によりダンプコンデンサから送られた復水の脱気を行う工程と、脱気器から送られた復水をボイラにより加熱して蒸気を発生させてこの蒸気を蒸気タービンに送る工程と、を備え、復水ヘッダ圧力測定器により測定された脱気器に送られる復水のヘッダ圧力に基づいて、補給水供給流量調整弁を制御してダンプコンデンサに送る補給水の流量を調整するとともに、ダンプコンデンサ復水流量調整弁を制御してダンプコンデンサから送られる復水の流量を調整することを特徴とする発電造水プラントの制御方法である。
このような発電造水プラントの制御方法においては、ダンプコンデンサにおける復水の水位をダンプコンデンサ水位測定器により測定する工程を更に備え、ダンプコンデンサ復水流量調整弁は、復水ヘッダ圧力測定器により測定された脱気器に送られる復水のヘッダ圧力に加えて、ダンプコンデンサ水位測定器により測定されたダンプコンデンサにおける復水の水位に基づいて制御され、ダンプコンデンサから送られる復水の流量を調整することが好ましい。
また、このような発電造水プラントの制御方法においては、脱気器に送られる復水の温度を復水温度測定器により測定する工程を更に備え、ダンプコンデンサ復水流量調整弁は、復水ヘッダ圧力測定器により測定された脱気器に送られる復水のヘッダ圧力およびダンプコンデンサ水位測定器により測定されたダンプコンデンサにおける復水の水位に加えて、復水温度測定器により測定された脱気器に送られる復水の温度に基づいて制御され、ダンプコンデンサから送られる復水の流量を調整することが好ましい。
【発明の効果】
【００２２】
本発明の発電造水プラントおよび発電造水プラントの制御方法によれば、排熱回収ボイラの下流側に設けられたエジェクタにおいて消費または発電造水プラントの系外へ放出される蒸気の流量を算出し、この損失蒸気の流量分の補給水をダンプコンデンサ（復水器）に補給するよう補給水供給流量調整弁を制御してダンプコンデンサに送られる補給水の流量を調整するようになっているので、発電造水プラントの系内において蒸気およびこの蒸気が凝縮された復水の合計量が不足することを抑止することができる。しかも、エジェクタにおいて消費または発電造水プラントの系外へ放出される蒸気の流量に基づいて、この放出蒸気量を補填するようダンプコンデンサ復水流量調整弁を制御してダンプコンデンサから送られる復水の流量を調整するようになっているので、発電造水プラントの系内において、蒸気およびこの蒸気が凝縮された復水をその量が減少することなく安定して循環させることができる。
【００２３】
本発明の他の発電造水プラントおよび発電造水プラントの制御方法によれば、排熱回収ボイラによる蒸気発生量に基づいて脱気器用復水流量調整弁の設計開度値を算出し、次に脱気器用復水流量調整弁の実際の開度値とこの設計開度値との差を算出することにより脱気器における復水の不足量を算出することができ、この不足量に基づいて補給水をダンプコンデンサに補給するよう補給水供給流量調整弁を制御してダンプコンデンサに送られる補給水の流量を調整するようになっているので、発電造水プラントの系内において蒸気およびこの蒸気が凝縮された復水の合計量が不足することを抑止することができる。しかも、脱気器における復水の不足量に基づいて、この不足量を補填するようダンプコンデンサ復水流量調整弁を制御してダンプコンデンサから送られる復水の流量を調整するようになっているので、発電造水プラントの系内において、蒸気およびこの蒸気が凝縮された復水をその量が減少することなく安定して循環させることができる。
【００２４】
本発明の他の発電造水プラントおよび発電造水プラントの制御方法によれば、脱気器の水位または脱気器に送られる復水のヘッダ圧力を測定してこれらの測定値が設定値以下となった場合には、脱気器に送られる復水の量を増加させてその水位を回復させるよう、補給水供給流量調整弁を制御してダンプコンデンサに送られる補給水の流量を調整するようになっているので、発電造水プラントの系内において蒸気およびこの蒸気が凝縮された復水の合計量が不足することを抑止することができる。しかも、脱気器における復水の不足量に基づいて、この不足量を補填するようダンプコンデンサ復水流量調整弁を制御してダンプコンデンサから送られる復水の流量を調整するようになっているので、発電造水プラントの系内において、蒸気およびこの蒸気が凝縮された復水をその量が減少することなく安定して循環させることができる。
【発明を実施するための最良の形態】
【００２５】
以下、図面を参照して本発明の実施の形態について説明する。
図１乃至図８は、本発明による発電造水プラントおよびその制御方法の実施の形態を示す図である。
このうち、図１は、本発明の発電造水プラントの全体の構成を示す構成図であり、図２および図３は、図１の発電造水プラントの制御装置による第１の制御方法の制御内容を示すブロック図である。また、図４乃至図８は、各々、図１の発電造水プラントの制御装置による第２乃至第６の制御方法の制御内容を示すブロック図である。
【００２６】
図１において、発電造水プラント１０は、外部から導入された空気を圧縮器で圧縮し、圧縮された空気と燃料ガスとを燃焼器により燃焼し、燃焼器からの燃焼ガスをタービンに送って一次発電を行う５基のガスタービン１１と、このガスタービン１１の排熱を回収して蒸気を発生させる５基の排熱回収ボイラ１８と、蒸気を利用して二次発電を行う２基の蒸気タービン１２と、蒸気タービン１２から排出された蒸気を、海水や河川水等の冷却水を利用して凝縮して復水を生成するとともに冷却水から真水を生成する例えば２つの並列に配置されたダンプコンデンサ（復水器）１４とを備えている。なお、紙面の都合上、ガスタービン１１、蒸気タービン１２は１基ずつ示している。ダンプコンデンサ１４の下流側には、ダンプコンデンサ１４から送られた復水の脱気を行う例えば５つの並列に配置された脱気器１６が設置されている。各脱気器１６はそれぞれ排熱回収ボイラ１８の中圧ドラムに接続されている。
この発電造水プラント１０において、蒸気またはこの蒸気が凝縮された復水は、蒸気タービン１２、ダンプコンデンサ１４、脱気器１６および排熱回収ボイラ１８を循環して流れるようになっている。
【００２７】
蒸気タービン１２から排気された蒸気は分岐点１３を介して２台のダンプコンデンサ１４に分岐される。また、各ダンプコンデンサ１４から送られた復水は、合流分岐点１５において一度合流し、この合流した復水は各脱気器１６に分岐される。さらに、各排熱回収ボイラ１８から送られた蒸気は、合流点１９において合流して蒸気タービン１２に送られる。
【００２８】
蒸気タービン１２は、例えば並列に一対配置されていてもよい。この場合には、合流点１９の下流側に、蒸気を各蒸気タービン１２に分岐させる分岐点（図示せず）が設けられており、また、分岐点１３の上流側に、各蒸気タービン１２から送られた蒸気を合流させる合流点（図示せず）が設けられている。
【００２９】
ダンプコンデンサ１４は、図１に示すように、例えば並列に一対配置されており、外部から導入された海水や河川水等の冷却水と熱交換を行ってこの冷却水を加熱することにより真水を生成して造水を行うものである。この熱交換により蒸気タービン１２から送られた蒸気が凝縮されて復水が生成されるようになっている。
【００３０】
各ダンプコンデンサ１４には、このダンプコンデンサ１４に補給水を送る補給水ライン２０がそれぞれ接続されており、補給水ライン２０上にはダンプコンデンサ１４に送られる補給水の流量を測定する補給水供給流量測定器２１と、この補給水の流量を調整する補給水供給流量調整弁２２とがそれぞれ設けられている。補給水供給流量調整弁２２は、その弁開度が変化することによって各ダンプコンデンサ１４に送られる補給水の流量を調整するようになっている。
【００３１】
さらに、各ダンプコンデンサ１４には、このダンプコンデンサ１４内における水位を測定するダンプコンデンサ水位測定器２３がそれぞれ設けられている。
【００３２】
各ダンプコンデンサ１４の下流側には復水ポンプ２５がそれぞれ設けられており、各ダンプコンデンサ１４から送られた復水は復水ポンプ２５により合流分岐点１５を介して例えば５つの並列に設けられた脱気器１６に送られるようになっている。
各復水ポンプ２５と合流分岐点１５との間には、各ダンプコンデンサ１４から送られる復水流量を調整するダンプコンデンサ復水流量調整弁２６が設けられている。また、ダンプコンデンサ復水流量調整弁２６は、その弁開度が変化することによってダンプコンデンサ１４から送られる復水流量を調整するようになっている。
【００３３】
合流分岐点１５と各脱気器１６との間には、各脱気器１６に送られる復水のヘッダ圧力を測定する復水ヘッダ圧力測定器３０と、この復水の温度を測定する復水温度測定器３１と、脱気器１６に送られる復水流量を調整する脱気器用復水流量調整弁３２とが上流側から順にそれぞれ設けられている。脱気器用復水流量調整弁３２は、その弁開度が変化することによって脱気器１６に送られる復水の流量を調整するものである。
また、各脱気器１６には、この脱気器１６内における水位を測定する脱気器水位測定器３３と、脱気器１６内における圧力を測定する脱気器内圧力測定器３４とがそれぞれ設けられている。また、各脱気器１６により脱気された復水は排熱回収ボイラ１８に送られるようになっている。
【００３４】
排熱回収ボイラ１８は、前述のように、ガスタービン１１から送られた排気ガスと脱気器１６から送られた復水とを熱交換することにより、この復水を加熱して蒸気を発生させるものである。排熱回収ボイラ１８により生成された蒸気は、蒸気タービン１２に送られるようになっている。
各排熱回収ボイラ１８の高圧過熱器ＳＨ１と合流点１９とを接続する配管の途中には、各排熱回収ボイラ１８から出力される高圧過熱蒸気流量を測定する主蒸気流量測定器４０がそれぞれ設けられている。
【００３５】
また、各排熱回収ボイラ１８の中圧過熱器ＳＨ２の出口には中圧蒸気ライン４５がそれぞれ接続され、各中圧蒸気ライン４５には、ダンプコンデンサ１４が接続されると共に、分岐点４５ａを介して例えば５つの並列に配置されたエジェクタライン４６が分岐して設けられている。各エジェクタライン４６に送られた蒸気は、合流点４７で合流してエジェクタ４８側へ送られる。
各中圧蒸気ライン４５上においてエジェクタライン４６への分岐点４５ａの上流側には、中圧蒸気ライン４５を流れる蒸気の流量を測定する中圧蒸気流量測定器４９が設けられている。
【００３６】
エジェクタ４８により、エジェクタライン４６から送られた蒸気が消費または発電造水プラント１０の系外へ放出される。
【００３７】
一方、各排熱回収ボイラ１８には、この排熱回収ボイラ１８からの蒸気を、中圧蒸気ライン４５上の分岐点４５ａよりも下流側の合流点４５ｂに直接送る中圧蒸気スプレーライン５０が接続されており、この中圧蒸気スプレーライン５０上には、当該中圧蒸気スプレーライン５０を流れる蒸気の流量を測定する中圧蒸気スプレー流量測定器５１が設けられている。
また、各中圧蒸気ライン４５上における合流点４５ｂの下流側には、ダンプコンデンサ１４に送られる蒸気の流量を測定するダンプコンデンサ用蒸気流量測定器５２が設けられている。
【００３８】
さらに、中圧蒸気流量測定器４９と、中圧蒸気スプレー流量測定器５１と、ダンプコンデンサ用蒸気流量測定器５２とには、制御装置６０が接続されている。この制御装置６０は、中圧蒸気流量測定器４９により測定された蒸気の流量と中圧蒸気スプレー流量測定器５１により測定された蒸気の流量との合計の流量（Ａ）と、ダンプコンデンサ用蒸気流量測定器５２により測定された蒸気の流量（Ｂ）との差（＝Ａ−Ｂ）に基づいて、補給水供給流量調整弁２２を制御してダンプコンデンサ１４に送る補給水の流量を調整するとともに、ダンプコンデンサ復水流量調整弁２６を制御してダンプコンデンサ１４から送られる復水の流量を調整するものである。
【００３９】
次に、本実施の形態の発電造水プラント１０の作用について図１を参照して説明する。
【００４０】
まず、ガスタービン１１の圧縮器に空気を送ってこの空気を圧縮し、燃焼器で圧縮された空気と燃料ガスとを燃焼し、燃焼器からの燃焼ガスを利用してタービンが一次発電を行う。一方、蒸気を利用して蒸気タービン１２が二次発電を行う。
【００４１】
蒸気タービン１２から排出された蒸気は分岐点１３により分岐して例えば２つの並列に設けられたダンプコンデンサ１４に送られる。各ダンプコンデンサ１４は、蒸気タービン１２から排出された蒸気と外部から導入された海水や河川水等の冷却水とを熱交換してこの冷却水を加熱することにより真水を生成して造水を行い、同時に蒸気タービン１２から排出された蒸気を凝縮して復水を生成する。
この間、ダンプコンデンサ水位測定器２３がダンプコンデンサ１４内の生成された復水の水位を測定している。
【００４２】
また、ダンプコンデンサ１４には、補給水ライン２０から補給水が補給され、補給水ライン２０から送られる補給水の流量は、補給水供給流量測定器２１により測定される。また、この補給水の流量は補給水供給流量調整弁２２により調整される。
【００４３】
各ダンプコンデンサ１４により生成された復水は、復水ポンプ２５によって移送され、合流分岐点１５で一旦合流し、さらに分岐して例えば５つの並列に設けられた脱気器１６に送られる。
この間、ダンプコンデンサ１４から合流分岐点１５に送られる復水流量がダンプコンデンサ復水流量調整弁２６により調整される。また、合流分岐点１５から各脱気器１６に送られる復水のヘッダ圧力が復水ヘッダ圧力測定器３０により測定され、この復水の温度が復水温度測定器３１により測定される。さらに、各脱気器１６に送られる復水流量が脱気器用復水流量調整弁３２により調整される。
【００４４】
各脱気器１６は、ダンプコンデンサ１４から送られた復水の脱気を行って復水中の溶存酸素を除去し、各脱気器１６により脱気された復水は排熱回収ボイラ１８に送られる。
ここで、脱気器水位測定器３３が脱気器１６内の復水の水位を測定し、脱気器内圧力測定器３４が脱気器１６内における圧力を測定している。
【００４５】
また、各排熱回収ボイラ１８において、ガスタービン１１から排出された排気ガスと、脱気器１６から送られた復水とが熱交換され、脱気器１６から送られた復水が加熱されて蒸気となる。各排熱回収ボイラ１８により生成された蒸気は高圧過熱器ＳＨ１を経て合流点１９において合流して再び蒸気タービン１２に送られる。
この間、各排熱回収ボイラ１８により生成され合流点１９に送られる蒸気の流量は、主蒸気流量測定器４０により測定されている。
【００４６】
一方、各排熱回収ボイラ１８により生成された蒸気の一部は中圧過熱器ＳＨ２を経て中圧蒸気ライン４５に送られ、直接ダンプコンデンサ１４に送られる。また、この中圧蒸気ライン４５に送られた蒸気うち、その一部が分岐点４５ａで分岐してエジェクタライン４６に送られる。そして、各エジェクタライン４６に送られた蒸気が合流点４７で合流してエジェクタ４８に送られ、このエジェクタ４８において蒸気が消費または発電造水プラント１０の系外へ放出される。
この間、排熱回収ボイラ１８から中圧蒸気ライン４５に送られた蒸気は、その流量が中圧蒸気流量測定器４９により測定される。
【００４７】
また、各排熱回収ボイラ１８により生成された蒸気の一部は中圧蒸気スプレーライン５０に送られ、この中圧蒸気スプレーライン５０に送られた蒸気は合流点４５ｂにおいて中圧蒸気ライン４５に合流する。
各排熱回収ボイラ１８から中圧蒸気スプレーライン５０に送られた蒸気は、その流量が中圧蒸気スプレー流量測定器５１により測定される。また、中圧蒸気ライン４５において合流点４５ｂで合流しダンプコンデンサ１４に送られる蒸気の流量がダンプコンデンサ用蒸気流量測定器５２により測定される。
【００４８】
中圧蒸気ライン４５により送られた蒸気は、蒸気タービン１２と分岐点１３との間のライン上で蒸気タービン１２から排出された蒸気と合流し、ダンプコンデンサ１４に送られるようになっている。
【００４９】
次に、制御装置６０による補給水供給流量調整弁２２およびダンプコンデンサ復水流量調整弁２６の制御内容について図２乃至図８を用いて以下に詳述する。
【００５０】
まず、制御装置６０による第１の制御方法の制御内容について、図２および図３を用いて説明する。
図２に示すように、一の中圧蒸気ライン４５について、まず加算器７１ａにおいて中圧蒸気流量測定器４９により測定された蒸気の流量と、中圧蒸気スプレー流量測定器５１により測定された蒸気の流量が加算される（Ｓｔｅｐ１−１）。次に比較器７１ｂにおいてこの加算された蒸気の流量（Ａ）からダンプコンデンサ用蒸気流量測定器５２により測定された蒸気の流量（Ｂ）が差し引かれる。このことにより、エジェクタライン４６に送られる蒸気の流量が算出される（Ｓｔｅｐ１−２）。
【００５１】
次に比較器７１ｃにおいてこの差し引かれた蒸気の流量（＝Ａ−Ｂ）と、補給水供給流量測定器２１により測定された補給水の、一の中圧蒸気ライン４５当たりの流量（補給水供給流量測定器２１による測定量の２／５の流量）との差が算出される（Ｓｔｅｐ１−３）。
さらに、比較器７１ｄにおいて、比較器７１ｃで求められた差と、予め定められた制御設定値（ＳＧ）との差が求められ（Ｓｔｅｐ１−４）、ＰＩＤ演算部７１ｅにおいてこの差に基づいてＰＩＤ制御が行われ、第１の制御出力値が算出される（Ｓｔｅｐ１−５）。
【００５２】
一方、比較器７１ｆにおいてダンプコンデンサ水位測定器２３により測定された水位と、予め定められた制御設定値（ＳＧ）との差が求められ（Ｓｔｅｐ１−６）、ＰＩＤ演算部７１ｇにおいてこの差に基づいてＰＩＤ制御が行われ、第２の制御出力値が算出される（Ｓｔｅｐ１−７）。
【００５３】
そして、選択器７１ｈにおいて、ＰＩＤ演算部７１ｅで算出された第１の制御出力値（ＭＶ値）およびＰＩＤ演算部７１ｇで算出された第２の制御出力値（ＭＶ値）のうち、より大きな値の制御出力値（ＭＶ値）が選択される（Ｓｔｅｐ１−８）。
ここで、図１において、中圧蒸気ライン４５は５本設置されているのに対し、ダンプコンデンサ１４の設置台数は２つとなっている。このため、図３に示すように、Ｎｏ．１からＮｏ．５までの５つの中圧蒸気ライン４５において選択器７１ｈにより算出されたそれぞれの制御出力値（ＭＶ値）を合計し、この合計値をダンプコンデンサ１４の設置台数である２で割ることにより、１台のダンプコンデンサ１４当たりの制御出力値（ＭＶ´値）が算出される。
この値に基づいて補給水供給流量調整弁２２の弁開度およびダンプコンデンサ復水流量調整弁２６の弁開度が調整される。
【００５４】
このように、制御装置６０によって、中圧蒸気流量測定器４９により測定された蒸気の流量と中圧蒸気スプレー流量測定器５１により測定された蒸気の流量との合計の流量（Ａ）と、ダンプコンデンサ用蒸気流量測定器５２により測定された蒸気の流量（Ｂ）との差（＝Ａ−Ｂ）に基づいて、補給水供給流量調整弁２２が制御されダンプコンデンサ１４に送られる補給水の流量が調整され、さらに、ダンプコンデンサ復水流量調整弁２６が制御されダンプコンデンサ１４から送られる復水の流量が調整される。
【００５５】
上述した第１の制御方法によれば、中圧蒸気流量測定器４９により測定された蒸気の流量と、中圧蒸気スプレー流量測定器５１により測定された蒸気の流量が加算され、この加算された蒸気の流量（Ａ）からダンプコンデンサ用蒸気流量測定器５２により測定された蒸気の流量（Ｂ）が差し引かれることにより、エジェクタライン４６に送られる蒸気の流量が算出される。このことにより、排熱回収ボイラ１８の下流側に設けられたエジェクタ４８において消費または発電造水プラント１０の系外へ放出される蒸気の流量を算出し、この損失蒸気の流量分の補給水をダンプコンデンサ１４に補給するよう補給水供給流量調整弁２２を制御してダンプコンデンサ１４に送られる補給水の流量を調整するようになっている。このため、発電造水プラント１０の系内において蒸気およびこの蒸気が凝縮された復水の合計量が不足することを抑止することができる。
また、エジェクタ４８において消費または発電造水プラント１０の系外へ放出される蒸気の流量に基づいて、この損失流量分を補填するようダンプコンデンサ復水流量調整弁２６を制御してダンプコンデンサ１４から送られる復水の流量を調整するようになっているので、発電造水プラント１０の系内において、蒸気およびこの蒸気が凝縮された復水をその量が減少することなく安定して循環させることができる。
【００５６】
なお、この第１の制御方法においては、中圧蒸気流量測定器４９により測定された蒸気の流量と中圧蒸気スプレー流量測定器５１により測定された蒸気の流量との合計の流量（Ａ）と、ダンプコンデンサ用蒸気流量測定器５２により測定された蒸気の流量（Ｂ）との差（＝Ａ−Ｂ）に基づいて、ダンプコンデンサ復水流量調整弁２６が制御されダンプコンデンサ１４から送られる復水の流量が調整されるようになっているが、ダンプコンデンサ復水流量調整弁２６の制御方法は上述の方法に限定されるものではない。
すなわち、ダンプコンデンサ復水流量調整弁２６を例えばダンプコンデンサ水位測定器２３により測定される復水の水位に基づいて制御してもよい。この場合には、補給水供給流量調整弁２２が制御されてダンプコンデンサ１４に送られる補給水の流量が増加したときに、ダンプコンデンサ水位測定器２３により測定される復水の水位が標準設定水位よりも高くなり、このことによってダンプコンデンサ１４から送られる復水の流量が増加するようダンプコンデンサ復水流量調整弁２６が制御されるようになっている。
【００５７】
次に、制御装置６０による第２の制御方法の制御内容について図３および図４を用いて説明する。
図４に示すように、一の脱気器１６について、まず開度計算器７２ａにおいて脱気器内圧力測定器３４により測定された脱気器１６内の圧力と、主蒸気流量測定器４０により測定された主蒸気の流量とに基づいて脱気器用復水流量調整弁３２の設計開度値の開度計算を行う（Ｓｔｅｐ２−１）。次に、比較器７２ｂにおいて、開度計算器７２ａにより算出された設計開度値と、脱気器用復水流量調整弁３２の実際の開度値との差を計算する（Ｓｔｅｐ２−２）。
【００５８】
そして、制御装置６０のシグナルモニタ６１が、比較器７２ｂにより算出された設計開度値と実際の開度値との差の値に基づいて、この値がシグナルモニタ６１の標準設定値よりも大きくなった場合に補給水供給流量調整弁２２をその弁開度が大きくなるよう制御してダンプコンデンサ１４に送られる補給水の流量を増やすようにする（Ｓｔｅｐ２−３）。同様にして、シグナルモニタ６１によりダンプコンデンサ復水流量調整弁２６がその弁開度が大きくなるよう制御されダンプコンデンサ１４から送られる復水の流量を増やすようにする。
この際に、第１の制御方法と同様に、図３に示す方法により１台のダンプコンデンサ１４当たりの制御出力値（ＭＶ´値）が算出されるようになっている。
【００５９】
制御装置６０による上述の第２の制御方法によれば、排熱回収ボイラ１８による蒸気発生量に基づいて脱気器用復水流量調整弁３２の設計開度値を算出し、次に脱気器用復水流量調整弁３２の実際の開度値とこの設計開度値との差を算出することにより各脱気器１６における復水の不足量を算出することができ、この不足量に基づいて補給水をダンプコンデンサ１４に補給するよう補給水供給流量調整弁２２を制御してダンプコンデンサ１４に送られる補給水の流量を調整することができる。このため、発電造水プラント１０の系内において蒸気およびこの蒸気が凝縮された復水の合計量が不足することを抑止することができる。
また、各脱気器１６における復水の不足量に基づいて、この不足量を補填するようダンプコンデンサ復水流量調整弁２６を制御してダンプコンデンサ１４から送られる復水の流量を調整するようになっているので、発電造水プラント１０の系内において、蒸気およびこの蒸気が凝縮された復水をその量が減少することなく安定して循環させることができる。
【００６０】
次に、制御装置６０による第３の制御方法の制御内容について図３および図５を用いて説明する。
図５に示すように、一の脱気器１６について、制御装置６０のシグナルモニタ６２が、脱気器水位測定器３３により測定された脱気器１６の水位に基づいて、この脱気器１６の測定水位値がシグナルモニタ６２の標準設定値よりも小さくなった場合に補給水供給流量調整弁２２をその弁開度が大きくなるよう制御してダンプコンデンサ１４に送られる補給水の流量を増やすようにする（Ｓｔｅｐ３−１）。同様にして、シグナルモニタ６２により、ダンプコンデンサ復水流量調整弁２６をその弁開度が大きくなるよう制御してダンプコンデンサ１４から送られる復水の流量を増やすようにする。
この際に、第１の制御方法と同様に、図３に示す方法により１台のダンプコンデンサ１４当たりの制御出力値（ＭＶ´値）が算出されるようになっている。
【００６１】
制御装置６０による上述の第３の制御方法によれば、各脱気器１６の水位を測定してこの水位が設定値以下となった場合には、脱気器１６に送られる復水の量を増加させてその水位を回復させるよう、補給水供給流量調整弁２２を制御してダンプコンデンサ１４に送られる補給水の流量を調整することができる。このため、発電造水プラント１０の系において蒸気およびこの蒸気が凝縮された復水の合計量が不足することを抑止することができる。
また、各脱気器１６における復水の不足量に基づいて、この不足量を補填するようダンプコンデンサ復水流量調整弁２６を制御してダンプコンデンサ１４から送られる復水の流量を調整するようになっているので、発電造水プラント１０の系内において、蒸気およびこの蒸気が凝縮された復水をその量が減少することなく安定して循環させることができる。
【００６２】
次に、制御装置６０による第４の制御方法の制御内容について図３および図６を用いて説明する。
まず、一の脱気器１６について、比較器７４ａにおいて、復水ヘッダ圧力測定器３０により測定された復水の測定ヘッダ圧力と、予め設定された設定ヘッダ圧力（ＳＧ）との差が算出される（Ｓｔｅｐ４−１）。次に、制御装置６０のシグナルモニタ６３が、復水の測定ヘッダ圧力と設定ヘッダ圧力との差に基づいて、この復水の測定ヘッダ圧力と設定ヘッダ圧力との差がシグナルモニタ６３の標準設定値よりも大きくなった場合に補給水供給流量調整弁２２をその弁開度が大きくなるよう制御してダンプコンデンサ１４に送られる補給水の流量を増やすようにする（Ｓｔｅｐ４−２）。同様にして、シグナルモニタ６３により、ダンプコンデンサ復水流量調整弁２６をその弁開度が大きくなるよう制御してダンプコンデンサ１４から送られる復水の流量を増やすようにする。
この際に、第１の制御方法と同様に、図３に示す方法により１台のダンプコンデンサ１４当たりの制御出力値（ＭＶ´値）が算出されるようになっている。
【００６３】
制御装置６０による上述の第４の制御方法によれば、脱気器１６に送られる復水のヘッダ圧力を測定し、設定ヘッダ圧力に対して復水の測定ヘッダ圧力が大幅に小さくなり復水の流量が減少していると検知されたときに、この復水の不足量を補うよう、補給水供給流量調整弁２２を制御してダンプコンデンサ１４に送られる補給水の流量を調整することができる。このため、発電造水プラント１０の系内において蒸気およびこの蒸気が凝縮された復水の合計量が不足することを抑止することができる。
また、各脱気器１６に送られる復水の不足量に基づいて、この不足量を補填するようダンプコンデンサ復水流量調整弁２６を制御してダンプコンデンサ１４から送られる復水の流量を調整するようになっているので、発電造水プラント１０の系内において、蒸気およびこの蒸気が凝縮された復水をその量が減少することなく安定して循環させることができる。
【００６４】
次に、制御装置６０による第５の制御方法の制御内容について図７を用いて説明する。
図７において、比較器７５ａおよびシグナルモニタ７５ｂは、第４の制御方法における比較器７４ａおよびシグナルモニタ６３と略同一の処理を行うようになっている（Ｓｔｅｐ５−１、Ｓｔｅｐ５−２）。
次に、制御装置６０のトランスファ（転送装置）６４が、シグナルモニタ７５ｂにより算出された値と、予め定められた制御設定値（ＳＧ）と基づいて転送信号値を算出する（Ｓｔｅｐ５−３）。次に、比較器７５ｃにおいて、トランスファ６４により算出された転送信号値と、ダンプコンデンサ水位測定器２３により測定された水位値との差を算出し（Ｓｔｅｐ５−４）、ＰＩＤ演算部７５ｄにおいてこの差に基づいてＰＩＤ制御が行われ、制御出力値が算出される（Ｓｔｅｐ５−５）。
次に、この制御出力値に基づいて、例えば復水の流量が不足していると検知されたときには、ダンプコンデンサ復水流量調整弁２６の弁開度が大きくなるよう調整される。
【００６５】
制御装置６０による上述の第５の制御方法によれば、脱気器１６に送られる復水のヘッダ圧力を測定し、設定ヘッダ圧力に対して復水の測定ヘッダ圧力が大幅に小さくなり復水の流量が減少していると検知されたときに、ダンプコンデンサ１４の復水の水位の下限値（水位低警報値）も考慮して、この復水の不足量を補うよう、ダンプコンデンサ復水流量調整弁２６をその弁開度が大きくなるよう制御してダンプコンデンサ１４から送られる復水の流量を調整するようになっている。このため、発電造水プラント１０の系内において、蒸気およびこの蒸気が凝縮された復水をその量が減少することなく安定して循環させることができる。
【００６６】
次に、制御装置６０による第６の制御方法の制御内容について図８を用いて説明する。
図８において、比較器７６ａ、シグナルモニタ７６ｂ、比較器７６ｃ、ＰＩＤ演算部７６ｄは、第５の制御方法における比較器７５ａ、シグナルモニタ７５ｂ、比較器７５ｃ、ＰＩＤ演算部７５ｄと略同一の処理を行うようになっている（Ｓｔｅｐ６−１〜Ｓｔｅｐ６−５）。
開度計算部７６ｅにおいて、復水温度測定器３１により測定された復水の水温、弁差圧および復水の最大流量（ＳＧ）に基づいてダンプコンデンサ復水流量調整弁２６の最大設計開度値が算出される（Ｓｔｅｐ６−６）。そして、選択器７６ｆにおいて、ＰＩＤ演算部７６ｄでＰＩＤ制御により算出された制御出力値および開度計算部７６ｅで算出された最大設計開度値のうち、より大きな値が制御出力値（ＭＶ値）として選択される（Ｓｔｅｐ６−７）。
この制御出力値に基づいて、例えば復水の流量が不足していると検知されたときには、ダンプコンデンサ復水流量調整弁２６の弁開度が大きくなるよう調整される。
【００６７】
制御装置６０による上述の第６の制御方法によれば、脱気器１６に送られる復水のヘッダ圧力を監視し、設定圧力に対して復水のヘッダ圧力が大幅に小さくなり復水の流量が減少していると検知されたときに、ダンプコンデンサ１４の復水の水位の下限値（水位低警報値）およびダンプコンデンサ復水流量調整弁２６の最大設計開度値も考慮して、この復水の不足量を補うよう、ダンプコンデンサ復水流量調整弁２６をその弁開度が大きくなるよう制御してダンプコンデンサ１４から送られる復水の流量を調整するようになっている。このため、発電造水プラント１０の系内において、蒸気およびこの蒸気が凝縮された復水をその量が減少することなく安定して循環させることができる。
【図面の簡単な説明】
【００６８】
【図１】本発明の発電造水プラントの全体の構成を示す構成図である。
【図２】図１の発電造水プラントの制御装置による第１の制御方法の制御内容を示すブロック図である。
【図３】図１の発電造水プラントの制御装置による第１の制御方法の制御内容を示すブロック図である。
【図４】図１の発電造水プラントの制御装置による第２の制御方法の制御内容を示すブロック図である。
【図５】図１の発電造水プラントの制御装置による第３の制御方法の制御内容を示すブロック図である。
【図６】図１の発電造水プラントの制御装置による第４の制御方法の制御内容を示すブロック図である。
【図７】図１の発電造水プラントの制御装置による第５の制御方法の制御内容を示すブロック図である。
【図８】図１の発電造水プラントの制御装置による第６の制御方法の制御内容を示すブロック図である。
【図９】従来の発電造水プラントの全体の構成を示す構成図である。
【符号の説明】
【００６９】
１０    発電造水プラント
１１    ガスタービン
１１ａ  圧縮器
１１ｂ  燃焼器
１１ｃ  タービン
１２    蒸気タービン
１３    分岐点
１４    ダンプコンデンサ（復水器）
１５    合流分岐点
１６    脱気器
１８    排熱回収ボイラ
１８ａ  低圧ドラム
１８ｂ  低圧給水調整弁
１８ｃ  低圧ドラム水位測定器
１８ｄ  中圧ドラム
１８ｅ  中圧給水調整弁
１８ｆ  中圧ドラム水位測定器
１８ｇ  高圧ドラム
１８ｈ  高圧給水調整弁
１８ｉ  高圧ドラム水位測定器
１９    合流点
２０    補給水ライン
２１    補給水供給流量測定器
２２    補給水供給流量調整弁
２３    ダンプコンデンサ水位測定器
２５    復水ポンプ
２６    ダンプコンデンサ復水流量調整弁
３０    復水ヘッダ圧力測定器
３１    復水温度測定器
３２    脱気器用復水流量調整弁
３３    脱気器水位測定器
３４    脱気器内圧力測定器
４０    主蒸気流量測定器
４５    中圧蒸気ライン
４５ａ  分岐点
４５ｂ  合流点
４６    エジェクタライン
４７    合流点
４８    エジェクタ
４９    中圧蒸気流量測定器
５０    中圧蒸気スプレーライン
５１    中圧蒸気スプレー流量測定器
５２    ダンプコンデンサ用蒸気流量測定器
６０    制御装置
６１、６２、６３    シグナルモニタ
６４    トランスファ
７１ａ  加算器
７１ｂ  比較器
７１ｃ  比較器
７１ｄ  比較器
７１ｅ  ＰＩＤ演算部
７１ｆ  比較器
７１ｇ  ＰＩＤ演算部
７１ｈ  選択器
７２ａ  開度計算部
７２ｂ  比較器
７４ａ  比較器
７５ａ  比較器
７５ｂ  シグナルモニタ
７５ｃ  比較器
７５ｄ  ＰＩＤ演算部
７６ａ  比較器
７６ｂ  シグナルモニタ
７６ｃ  比較器
７６ｄ  ＰＩＤ演算部
７６ｅ  開度計算部
７６ｆ  選択器
８０    発電造水プラント
ＳＨ１  高圧過熱器
ＳＨ２  中圧過熱器
【図１】
2006097484.tif 000003
【図２】
2006097484.tif 000004
【図３】
2006097484.tif 000005
【図４】
2006097484.tif 000006
【図５】
2006097484.tif 000007
【図６】
2006097484.tif 000008
【図７】
2006097484.tif 000009
【図８】
2006097484.tif 000010
【図９】
2006097484.tif 000011